(57)【特許請求の範囲】
【請求項１】
紙又はプラスチックを主たる素材として形成された液体収容容器の注口に、該注口を覆ってこれを密封する密封部材上に配置され該密封部材を開封する液体収容容器の注口開封装置であって、
前記開封装置は樹脂材からなり、前記密封部材を開封する開封部と、該開封部を操作する操作部と、該操作部を支持し該開封装置を前記液体収容容器に固定する支持部とを有し、
前記開封部と操作部と支持部は同一平面状に配置され、該開封部と操作部はそれらが対向する一端の間にＶ字状溝を設けることにより下部に形成された薄肉部で連結されており、該支持部は開封部と該開封部に連続する操作部の所定部分を囲繞して配置され、
前記操作部はＶ字状溝から所定寸法離れた位置の両側部に設けられた所定長さの支持棒部材で前記支持部に回動可能に支持され、
前記操作部の反開封部側端部を持ち上げると、該操作部の開封部側端部は前記支持棒部材を中心に回動し、前記薄肉部が屈曲して前記開封部に前記操作部側への引っ張り力が作用すると共に、前記操作部の前記Ｖ字状溝の側部が前記開封部の該Ｖ字状溝の側部に当接して該側部を押圧して、該開封部を前記薄肉部を中心に回動させ、該開封部の下面に位置する前記密封部材を開封することを特徴とする液体収容容器の注口開封装置。
【請求項２】
前記開封部の反操作部側端部には前記支持部に形成された係合段部に係合する係合段部が設けられ、前記支持棒部材は開封部側に且つ下方に所定角度傾斜しており、前記操作部の反開封部側端部を持ち上げると、該操作部開封部側端部は前記支持棒部材を中心に回動し、該開封部の係合段部が該支持部の係合段部からはずれ、該開封部を前記薄肉部を中心に回動させ、該開封部の下面に位置する前記密封部材を開封することを特徴とする請求項１に記載の液体収容容器の注口開封装置。
【請求項３】
前記開封部の操作部側端部で且つ両側には該開封部を前記薄肉部を中心に下方に回動した際、前記支持部の側部に設けた鍔部に係合し、該操作部を元の位置に戻した場合、該開封部をその位置に停止させる係合爪を設けたことを特徴とする請求項１又は２に記載の液体収容容器の注口開封装置。
【請求項４】
前記注口開封装置の底部には液体収容容器の注口及びその近傍に位置する凸状部を収容できる凹部を設けたことを特徴とする請求項１又は２又は３に記載の液体収容容器の注口開封装置。
【発明の詳細な説明】
【０００１】
【産業上の利用分野】
本発明は、紙又はプラスチックを主たる素材として形成された液体収容容器の注口に、該注口を覆ってこれを密封するフィルム状のシート等の密封部材の上に配置され該密封部材を開封する液体収容容器の注口開封装置に関し、特に一度開封した場合、再度密封されることのない、所謂飲み切り型の液体収容容器の注口の開封に好適な注口開封装置に関するものである。
【０００２】
【従来技術】
紙又はプラスチックを主たる素材として形成された液体収容容器の注口にはフィルム状のシートや樹脂製のプルタブが取り付けられ密封されている。そして開封する時は、該シートやプルタブを剥がし取ったり、該シートにストローを突き差し込んだりして行っている。
【０００３】
【発明が解決しようとする課題】
しかしながら、シートやプルタブを剥がし取ったり、該シートにストローを突き差したりする方法は、該シート、プルタブ及びストローが液体収容容器とは別のゴミとなり、これを安易に捨てることによりゴミ問題を招いてしまう。
【０００４】
シートやプルタブの一部分のみを剥がすようにして、シートやプルタブが液体収容容器から離脱しないようにしたものもあるが、これらのものはシートやプルタブから手を離すと、該シートやプルタブが液体収容容器の注口が閉塞されてしまうという問題がある。アルミニウム等の金属材からなる液体収容容器においては、一度開封すると開封した状態のままを保持する注口の構造もあるが、紙又はプラスチックを主たる素材として形成された液体収容容器にはこのようなものは無く、その開発が要望されている。
【０００５】
本願発明は上述の点に鑑みてなされたもので、上記問題点を除去し、一度開封した場合、手を離しても再び注口が閉塞されることの無い、紙又はプラスチックを主たる素材として形成された液体収容容器の注口開封装置を提供することを目的とする。
【０００６】
【課題を解決するための手段】
上記課題を解決するため本発明は、紙又はプラスチックを主たる素材として形成された液体収容容器の注口に、該注口を覆ってこれを密封する密封部材上に配置され該密封部材を開封する液体収容容器の注口開封装置であって、注口開封装置１０は図１に示すように、樹脂材からなり、密封部材を開封する注口開封部１１と、開封部１１を操作する操作部１２と、操作部１２を支持し該開封装置１０を液体収容容器に固定する支持部１３とを有し、開封部１１と操作部１２と支持部１３は同一平面状に配置され、開封部１１と操作部１２はそれらの対向する一端の間にＶ字状溝１４を設けることにより下部に形成された薄肉部１４ａで連結されており、支持部１３は開封部１１と該開封部１１に連続する操作部１２の所定部分を囲繞して配置され、操作部１２はＶ字状溝１４から所定寸法離れた位置の両側部に設けられた所定長さの支持棒部材１５で支持部１３に回動可能に支持され、操作部１２の開封部１１とは反対側の端部を持ち上げると、操作部１２の開封部１１の側の端部は支持棒部材１５を中心に回動し、薄肉部１４ａが屈曲して開封部１１に操作部１２側への引っ張り力が作用すると共に、操作部１２のＶ字状溝１４の側部が開封部１１のＶ字状溝１４の側部に当接してこれを押圧することで、該開封部１１を薄肉部１４ａを中心に回動させ、該開封部の下面に位置する密封部材を開封することを特徴とする。
【０００７】
また、開封部１１の操作部１２とは反対側の端部には支持部１３に形成された係合段部１３ａに係合する係合段部１１ａが設けられ、支持棒部材１５は開封部１１の側に且つ下方に所定角度傾斜しており、操作部１２の開封部１１とは反対側端部を持ち上げると、操作部１２の開封部１１の側の端部は支持棒部材１５を中心に回動し、該開封部１１の係合段部１１ａが支持部材の係合段部からはずれ、開封部１１を薄肉部１４ａを中心に回動させ、開封部１１の下面に位置する密封部材を開封することを特徴とする。
【０００８】
また、開封部１１の操作部１２の側の端部で且つ両側には開封部１１を薄肉部１４ａを中心に下方に回動した際、支持部材１３の側部に設けた鍔部１３ｂに係合し、操作部１２を元の位置に戻した場合、開封部１１をその位置に停止させる係合爪１６を設けたことを特徴とする。
【０００９】
また、注口開封装置１０の底部には図７及び図１１に示すように、液体収容容器２０の注口及びその近傍に位置する凸状部を収容できる凹部１７を設けたことを特徴とする。
【００１０】
【作用】
本発明は上記構成を採用することにより、操作部１２の開封部１１とは反対側の端部を持ち上げると、操作部１２と開封部１１を連結する薄肉部１４ａは図３に示すように支持棒部材１５の支持部材１３側の支点Ｇを中心に矢印Ｉのように回動する。これにより薄肉部１４ａが屈曲し、初め開封部１１を操作部１２の方向に引っ張り、更に回動が進むと下方に回動する。即ち、開封部１１の反操作部側端部は矢印Ｊに示すような動作をして下方に回動する。これにより、開封部１１の下面に位置する注口を密封しているフィルム状のシート等の密封部材は破られ開封される。
【００１１】
初め開封部１１が操作部１２の方向に引っ張られることにより、開封部１１の係合段部１１ａが支持部１３の係合段部１３ａからはずれ、その後開封部１１を薄肉部１４ａを中心に下方に回動させる。このように操作部１２の端部を持ち上げた場合、操作部１２には開封部１１を該操作部１２とは反対側に押す力が作用し、開封部１１を押そうとする。この時、支持棒部材１５を開封部１１の側に且つ下方に所定角度傾斜させて配設すると、該支持棒部材１５で開封部１１を押す力は阻止されると共に、該支持棒部材１５の操作部１２の側の支点Ｈは支持部１３側の支点Ｇより斜め下方に離れた位置にあるから、前記薄肉部１４ａの屈曲と重なって、開封部１１の反操作部側端部は矢印Ｊのようにスムーズに移動する。
【００１２】
上記のように操作部１２の端部の僅かな持ち上げによっても、開封部１１の係合段部１１ａが支持部１３の係合段部１３ａからはずれ、他人が何らかの理由で操作部１２を持ち上げたことが容易に判別できるから、例えば、液体収容容器に本来の液体を封入後、他人が注口から有害物の混入した恐れのある場合を容易に識別できる。
【００１３】
また、開封部１１の操作部１２側の端部で且つ両側に係合爪１６を設けたことにより開封部１１の回動が進み、反転状態に近づくと該係合爪１６は支持部１３の側部に設けた鍔部１３ｂを超えて下降し、操作部１２を元の位置に戻した場合、該係合爪１６は鍔部１３ｂに係合し、開封部１１が元の位置に戻ろうとするのを止めるから、図４及び図９に示すように液体収容容器の注口に開口Ｋが維持される。
【００１４】
また、注口開封装置の底部には凹部１７を設けるので、液体収容容器２０の注口及びその近傍に凸状部があっても、注口開封装置１０を安定した状態で取り付けることができ、液体収容容器２０の注口を設ける位置の制限が少なくなる。
【００１５】
【実施例】
以下、本発明の実施例を図面に基づいて説明する。図１は本発明の液体収容容器の注口開封装置の構造を示す平面図であり、同図（ａ）は平面図、同図（ｂ）はＡ−Ａ断面図、同図（ｃ）はＢ−Ｂ断面図、同図（ｄ）はＣ−Ｃ断面図である。図１に示すように、注口開封装置１０は板状の樹脂材からなり、液体収容容器の注口を密封するフィルム状のシート等の密封部材を開封する開封部１１と、該開封部１１を操作（作動させる）する操作部１２と、操作部１２を支持し該注口開封装置１０を液体収容容器の注口近傍に固定する支持部１３とを有している。
【００１６】
図示するように、開封部１１と操作部１２と支持部１３は同一平面状に配置され、開封部１１と操作部１３はそれらの対向する一端の間にＶ字状溝１４を設け、Ｖ字状溝１４の下部に形成された薄肉部１４ａで連結されている。支持部１３は開封部１１と該開封部１１に連続する操作部１２の所定部分を囲繞して配置されている。操作部１２はＶ字状溝１４から所定寸法離れた位置の両側部に設けられた所定長さの支持棒部材１５で支持部１３に回動可能に支持されている。
【００１７】
図２（ａ）は図１（ａ）のＤ部分の拡大図であり、図２（ｂ）はＥ−Ｅ断面図である。図示するように、支持棒部材１５は一端が支持部１３に連結され、他端は操作部１２の側に下方に向かって所定角度傾斜して配置連結されている。また、開封部１１の操作部１２側の端部で且つ両側には、係合爪１６が設けられている。該係合爪１６の先端側部には傾斜面１６ａを設けている。該傾斜面１６ａは後述するように、開封部１１が回動し係合爪１６が支持部１３の鍔部１３ｂを超える際スムーズに超えることができるようにするためで、必ずしも必要なものではない。
【００１８】
開封部１１の先端部（操作部１２とは反対側の端部）には、図１（ａ）、（ｂ）に示すように、係合段部１１ａが設けられ、支持部１３の対応する位置にも該係合段部１１ａに係合する係合段部１３ａが設けられている。また、開封部１１の両側に対向する支持部１３の側部には図１（ｄ）に示すように薄肉の鍔部１３ｂが設けられている。
【００１９】
上記構造の注口開封装置１０を図５に示すように、紙又はプラスチックを主たる素材として形成された液体収容容器の注口（図示は省略）の上部に、該注口を密封するフィルム状のシート等の密封部材の上に開封部１１が位置するように配置し固定し、操作部１２を引き上げることにより、開封部１１は下方に回動し、密封部材を破り、注口を開封する。以下、上記注口開封装置１０の動作を説明する。
【００２０】
図３は注口開封装置１０の動作を説明するための図で、同図において、Ｇは支持棒部材１５の支持部１３側の支点（支持棒部材１５と支持部１３との連結中心）であり、Ｈは支持棒部材１５の操作部１２側の支点（支持棒部材１５と操作部１２との連結中心）である。
【００２１】
操作部１２の後端（開封部１１とは反対側の端部）を矢印Ｌに示すように持ち上げると、開封部１１と操作部１２を連結する薄肉部１４ａは支点Ｇを中心に矢印Ｉのように回動する。これにより該薄肉部１４ａは屈曲し、開封部１１に操作部１２の方向に引っ張る力が作用する。これにより、開封部１１には操作部１２の方向に引っ張られ、開封部１１の係合段部１１ａが支持部１３の係合段部１３ａからはずれると、開封部１１は上記引っ張り力と薄肉部１４ａの屈曲により、Ｖ字状溝１４の操作部１２の側部が開封部１１の側部に当接し、開封部１１を押すから開封部１１は支点Ｇを中心に回動し、その先端（操作部１２とは反対側の端部）が矢印Ｊに示すように下方に移動する。
【００２２】
上記開封部１１の移動により、その下面に配置されている注口を密封する密封部材は破られ、注口は開封される。回動が進むと下方に回動する。即ち、開封部１１の反操作部側端部は矢印Ｊに示すような動作をして下方に回動する。これにより、開封部１１の下面に位置する注口を密封している密封部材は破られ開封される。
【００２３】
開封部１１の回動が進み、反転状態（底面が上を向くようになる状態）に近づくと係合爪１６が支持部１３の鍔部１３ｂを超えて下降する。即ち、係合爪６は弾力性を有する樹脂材からなり、且つ薄肉で幅細になっているから、操作部１２からの回転力で鍔部１３ｂを超えて下降する。この時係合爪１６の先端側部には上記のように傾斜面１６ａを設けておくと、係合爪１６が鍔部１３ｂをスムーズに超える。
【００２４】
この状態で操作部１２を引っ張り上げる前の状態に戻すと、開封部１１も戻り、開口を閉じようとするが、図４に示すように係合爪１６の先端部が支持部１３の鍔部１３ｂに係止され、開封部１１はこれ以上戻れなくなり、その位置に停止する。これにより、液体収容容器の注口に同図に示すように開封部１１と略同じ形状の開口Ｋが維持される。
【００２５】
操作部１２の後端部を矢印Ｌ方向に引っ張ることにより、該操作部１２には開封部１１を押すような力が作用し、開封部１１の係合段部１１ａが支持部１３の係合段部１３ａからはずれにくくなる場合がある。これに対処するため、本実施例では支持棒部材１５を開封部１１の側で且つ下方に所定角度傾斜して配置されているから、この開封部１１を押す力を効果的に阻止し、更に支持棒部材１５の支点Ｈは支点Ｇより斜め下方に離れた位置にあるから、薄肉部１４ａの屈曲と重なって、開封部１１の先端（操作部１２とは反対側の端部）は矢印Ｊに示すような軌跡でスムーズに移動する。
【００２６】
上記の開封部１１の係合段部１１ａが支持部１３の係合段部１３ａからはずれるのは、操作部１２の端部（開封部１１とは反対側の端部）の僅かな持ち上げによっても起こり、外れた後係合段部１１ａは係合段部１３ａの下面に係止するから、この状態は外部から容易に判別できる。従って、例えば、液体収容容器に本来の液体を封入後、他人が注口から有害物の混入した恐れのある場合を容易に識別できる。
【００２７】
なお、上記開封部１１、操作部１２及び支持部１３の形状配置は上記実施例に限定されるものではなく、要は樹脂材からなり、開封部、操作部及び支持部を有し、開封部と操作部と支持部は同一平面状に配置され、開封部と操作部はそれらの対向する一端の間にＶ字状溝を設けることにより形成された薄肉部で連結されており、支持部は開封部と該開封部に連続する操作部の所定部分を囲繞して配置されていれば、その形状及び配置はどのようなものであっても良い。
【００２８】
また、上記実施例では液体収容容器の注口をフィルム状のシートで覆い、該シートを開封部１１で破る場合を例に説明したが、注口を覆う密封部材はこれに限定されるものではなく、例えば注口と同じ形状寸法の板状の栓を用い、その周囲と注口との間をシールしたものや、容器自体の注口に細溝を形成し、注口を打ち抜き易くしたものでもよい。要は開封部１１の下降により容易に開封ができ且つ密封性のよい密封部材であれば良いことは当然である。
【００２９】
図６は本発明の液体収容容器の他の注口開封装置の構造を示す図で、同図（ａ）は正面図、同図（ｂ）は平面図、同図（ｃ）はＬ−Ｌ断面図、同図（ｄ）は右側面図である。また、図７は本発明の注口開封装置の外観図である。なお、図６及び図７において、図１乃至図５と同一符号を付した部分は同一又は相当部分を示す。また他の図面においても同様とする。
【００３０】
図６及び図７に示す注口開封装置１０が図１に示す注口開封装置１０と相違する点は、図６及び図７の注口開封装置１０においては底部に溝状の凹部１７を設けている点であり、他の部分は形状に若干の相違があるのみで、その構造及び機能は同一であるからその詳細な説明は省略する。
【００３１】
上記構造の注口開封装置１０は底部に溝状の凹部１７を設けているため、該溝状の凹部１７に図８に示すように８角筒状の液体収容容器２０の頂部の注口を横切る包装シール折り込み凸部２０ａが収まるように該注口開封装置１０を配設することにより、該注口開封装置１０を安定した状態で取り付けることが可能になる。即ち、注口開封装置１０の底部に溝状の凹部１７を設けることにより、該注口開封装置１０の取り付け位置が平坦部でも、凸部があっても該凸部が該凹部１７に収まるものであれば良く、注口開封装置１０の取り付け位置の制限が少なくなる。言い替えれば液体収容容器２０の頂部に注口を設けることができる範囲が広くなる。
【００３２】
上記構造の注口開封装置１０を、図８に示すように液体収容容器２０の頂部に設けた注口（図示せず）の上面に開封部１１が位置するように配置して取り付ける。開封時は操作部１２を持ち上げることにより、図９に示すように開封部１１の下面に位置する注口を密封する密封部材は破られ、注口は開封される。
【００３３】
図１０は本発明の液体収容容器の他の注口開封装置の構造を示す図で、同図（ａ）は正面図、同図（ｂ）は平面図、同図（ｃ）はＭ−Ｍ断面図である。また、図１１は本注口開封装置の外観図である。図１０及び図１１に示す注口開封装置１０が図１に示す注口開封装置１０と相違する点は、図６及び図７の場合と同様、図１０及び図１１の注口開封装置１０においては底部に溝状の凹部１７を設けている点であり、他の部分は形状に若干の相違があるのみで、その構造及び機能は同一であるからその詳細な説明は省略する。
【００３４】
図１２は８角筒状の液体収容容器２０の頂部の注口に上記構造の注口開封装置１０を取り付けた状態を示す図である。８角筒状の液体収容容器２０の頂部には包装シールの折り込み凸部２０ａがあり、該折り込み凸部２０ａが溝状の凹部１７に収容されるように注口開封装置１０を取り付けることにより、該注口開封装置１０は安定した状態で取り付けられる。注口の開封は図８及び図９の場合と略同じであるからその説明は省略する。
【００３５】
【発明の効果】
以上説明したように本発明によれば、下記のような優れた効果が得られる。
（１）紙又はプラスチックを主たる素材として形成された液体収容容器に固定した注口開封装置の操作部の端部を持ち上げるだけで、該操作部に連結された開封部を回動させ、該開封部の下面に位置する注口を密封する密封部材を破り開封できるので、液体収容容器と別にゴミが発生することはない。
【００３６】
（２）開封前の状態では開封部の係合段部が支持部の係合段部に係合しているが、操作部を僅かに引き上げる開封操作をしただけで該係合が外れた状態となるから、他人が操作部を操作したことを外部から容易に識別することができる。
【００３７】
（３）開封後、操作部を元の位置に戻した場合、開封部に設けた係合爪が支持部の鍔部に係止し、開封部を開封したままの状態に保持するから、一度開封された注口が再び閉塞されるということがない。
【００３８】
（４）また、注口開封装置の底部には凹部を設けたので、液体収容容器の注口及びその近傍に凸状部があっても、注口開封装置を安定した状態で取り付けることができ、液体収容容器の注口を設ける位置の制限が少なくなる。
【図面の簡単な説明】
【図１】本発明の液体収容容器の注口開封装置の構造を示す平面図であり、図１（ａ）は平面図、図１（ｂ）はＡ−Ａ断面図、図１（ｃ）はＢ−Ｂ断面図、図１（ｄ）はＣ−Ｃ断面図である。
【図２】図１（ａ）のＤ部分の拡大図で、図２（ａ）は平面図、図２（ｂ）はＥ−Ｅ断面図である。
【図３】本発明の液体収容容器の注口開封装置の動作を説明するための図である。
【図４】本発明の液体収容容器の注口開封装置が開封した状態を示す平面図である。
【図５】本発明の注口開封装置を液体収容容器の注口に取付けた状態を示す外観図である。
【図６】本発明の液体収容容器の他の注口開封装置の構造を示す図で、図６（ａ）は正面図、図６（ｂ）は平面図、図６（ｃ）はＬ−Ｌ断面図、図６（ｄ）は右側面図である。
【図７】本発明の注口開封装置の外観図である。
【図８】本発明の注口開封装置を液体収容容器の注口に取付けた状態を示す外観図である。
【図９】本発明の注口開封装置の開封状態を示す外観図である。
【図１０】本発明の液体収容容器の他の注口開封装置の構造を示す図で、図１０（ａ）は正面図、図１０（ｂ）は平面図、図１０（ｃ）はＭ−Ｍ断面図である。
【図１１】本発明の注口開封装置の外観図である。
【図１２】本発明の注口開封装置を液体収容容器の注口に取付けた状態を示す外観図である。
【符号の説明】
１０            注口開封装置
１１            開封部
１２            操作部
１３            支持部
１４            Ｖ字状溝
１５            支持棒部材
１６            係合爪
１７            溝状の凹部
２０            液体収容容器
【図１】
0003652407.tif 000002
【図２】
0003652407.tif 000003
【図３】
0003652407.tif 000004
【図４】
0003652407.tif 000005
【図５】
0003652407.tif 000006
【図６】
0003652407.tif 000007
【図７】
0003652407.tif 000008
【図８】
0003652407.tif 000009
【図９】
0003652407.tif 000010
【図１０】
0003652407.tif 000011
【図１１】
0003652407.tif 000012
【図１２】
0003652407.tif 000013